(57)【要約】  【課題】蝶棒または箱棒の表面に逆開き用スライダーを確実に停止させる機構、また該スライダーを無闇に内方へ移動するのを阻止した逆開き開離嵌挿具を提供する。  【解決手段】逆開き開離嵌挿具は、逆開き用スライダー１、箱棒３、蝶棒４とから形成され、ファスナーチエン５に挿通した逆開き用スライダー１に設けた停止爪３５が、ファスナーチエン５の端部においては常時、停止爪３５が開閉方向における端面と衝突する状態で当接できる当接部１３を蝶棒４または箱棒３に設け、この当接部１３は停止爪３５と係止し停止できる形態に形成して、逆開き用スライダー１が無闇にファスナーチエン５の内側へ自動的に移動するのを未然に阻止し、品質のよい逆開き開離嵌挿具である。  【選択図】図１０
2008099975.tif 000002
【特許請求の範囲】
【請求項１】
左右一対のファスナーストリンガー６，６における一方のファスナーストリンガー６のファスナーエレメント７の長さ方向の一端に取り付けられた箱棒３と、他方のファスナーストリンガー６のファスナーエレメント７の長さ方向の一端に取り付けられた蝶棒４と、箱棒３と蝶棒４とが内部に挿入可能な逆開き用スライダー１とから構成された逆開き開離嵌挿具において、蝶棒４または箱棒３に逆開き用スライダー１に設置した停止爪３５と対面し、当接することが可能な当接部１３を設け、当接部１３と停止爪３５とが当接したときに、逆開き用スライダー１がファスナーチエン５の内方側への移動することを阻止してなることを特徴とするスライドファスナーの逆開き開離嵌挿具。
【請求項２】
蝶棒４は、箱棒３と対向する側面から突出する当接部１３を設け、当接部１３の基部から蝶棒４の先端にかけて、逆開き用スライダー１の停止爪３５が入り込むことが可能な切欠部１６を形成してなる請求項１記載のスライドファスナーの逆開き開離嵌挿具。
【請求項３】
箱棒３は、蝶棒４と対向する側面に、逆開き用スライダー１の停止爪３５が入り込むことの可能な切欠部１６を形成し、切欠部１６を構成する周壁に当接部１３を設けてなる請求項１記載のスライドファスナーの逆開き開離嵌挿具。
【請求項４】
箱棒３は、蝶棒４と対向する側面から突出する挿入片２２，２３を有し、蝶棒４は、箱棒３と対向する側面に箱棒の挿入片２２，２３を収容可能な収容部１８，１９と、箱棒３へ向けて突出する当接部１３とを有し、当接部１３と挿入片２２，２３とが箱棒３と蝶棒４の表裏方向にずれた位置に配置されてなる請求項１記載のスライドファスナーの逆開き開離嵌挿具。
【請求項５】
蝶棒４は、箱棒３と対向する側面から突出する当接部１３を設け、当接部１３は蝶棒４の基端側から先端側に向けて漸次幅広に突出する形に形成されてなる請求項１記載のスライドファスナーの逆開き開離嵌挿具。
【発明の詳細な説明】
【技術分野】
【０００１】
この発明は、スライドファスナーにおける逆開き開離嵌挿具であり、逆開き用スライダー、箱棒、蝶棒とから形成された逆開きタイプの開離嵌挿具の箱棒と蝶棒に改良を加え、円滑な開離嵌挿操作が行える逆開き開離嵌挿具に関するものである。
【背景技術】
【０００２】
スライドファスナーは、衣服や鞄の開口部分の開閉具として用いられることはもちろんのこと、単位サイズに分割されたカーペットや人工芝の連結具としても用いられている。スライダファスナーは、ファスナーチエンの長さ方向の一端側から他端側へ向けて開放または閉鎖することができるタイプが一般的であるが、このタイプとは異なり、ファスナーチエンの長さ方向の両端側から開放または閉鎖することができるタイプが存在する。このタイプのフスライドファスナーには、ファスナーチエンに２つのスライダー、すなわち開き用スライダーと逆開き用スライダーとが配され、ファスナーチエンの一端に箱棒と蝶棒とを取り付けて、逆開き用スライダー、箱棒、蝶棒とから構成された逆開き開離嵌挿具が装着されている。
【０００３】
従来の逆開き開離嵌挿具として、図１６に示すものが知られている。箱棒の側面に凹陥部を設け、この側面と対向する蝶棒の側面に小片を突設し、箱棒と蝶棒とが逆開き用スライダー内に挿入されたときに、小片が凹陥部に挿入可能に形成されている。また、蝶棒の先端から基端側に向けて上り傾斜の斜面を形成し、蝶棒を逆開き用スライダーに差し込んだとき、蝶棒の斜面が逆開き用スライダーに装備した停止爪と接し、蝶棒の移動とともに停止爪を押し上げて、停止爪を蝶棒の上面に乗り上がらせることができるように形成している。また、斜面よりも蝶棒の基端側、すなわちファスナーエレメントに隣接する位置に、蝶棒の上面に押し上げられた停止爪が嵌入することができる凹部を設け、蝶棒が逆開き用スライダー内に挿入されている状態において、停止爪が凹部内に保持されている。さらに、箱棒の基端に開き用スライダーの停止爪が箱棒の上面に乗り上がるための斜面が形成されている。
【特許文献１】特許第３６２１０４０号公報
【発明の開示】
【発明が解決しようとする課題】
【０００４】
近年、上述した逆開き開離嵌挿具を装着したスライドファスナーは各種分野の物品に装着され、従来の使用態様とは異なる新たな使用態様で装着されることが行われてきている。従来の使用態様では、スライドファスナーが物品に取り付けられた際、逆開き開離嵌挿具は物品の下方側に配置されていたが、新たな使用態様では、例えばスキー選手が着用するオーバーパンツにおいて、逆開き開離嵌挿具が物品の上方側に配置された。
【０００５】
図１６に示すスライドファスナーの逆開き開離嵌挿具は、蝶棒が逆開き用スライダーに挿入されたとき、蝶棒の上面に形成した凹部に逆開き用スライダーの停止爪を嵌入して保持するものの、逆開き開離嵌挿具を物品の上方側に配置したとき逆開き用スライダーが使用中に揺動し、自重により物品の下方側、すなわち箱棒と蝶棒とから離れる方向へ勝手に移動しようとしたとき、蝶棒または箱棒は逆開き用スライダーの移動を停止させるような機能は持ち合わせてなく、ファスナーエレメントが逆開き用スライダーを人為的に操作することなく自然に分離されてしまう問題が生じた。
【０００６】
この発明は、上述の問題点を考慮して発明されたものであり、この発明のうち請求項１記載の発明は、逆開き開離嵌挿具の蝶棒または箱棒に逆開き用スライダーの停止爪が当接する当接部を設けることによって、たとえ逆開き開離嵌挿具を物品の上方側に配置しても、逆開き用スライダーがファスナーチエンの内方側へ無闇に移動することを未然に阻止できるスライドファスナーの逆開き開離嵌挿具を提供することが主たる目的である。
【０００７】
請求項２記載の発明は、請求項１記載の発明の目的に加え、蝶棒において、停止爪と当接部との当接が確実に行われるようにするとともに、蝶棒の円滑な嵌挿操作を行うことができるスライドファスナーの逆開き開離嵌挿具を提供することが目的である。
【０００８】
請求項３記載の発明は、請求項１記載の発明の目的に加え、箱棒において、停止爪と当接部との当接が確実に行われるようにすることが目的である。
【０００９】
請求項４記載の発明は、請求項１記載の発明の目的に加え、蝶棒が逆開き用スライダー内へ挿入される際、蝶棒の当接部の移動経路において箱棒が障害物となることがなく、蝶棒の挿入操作を円滑に行えるスライドファスナーの逆開き開離嵌挿具を提供することが目的である。
【００１０】
請求項５記載の発明は、請求項１記載の発明の目的に加え、当接部が停止爪と接触する部分の面積を広く確保し、確実に逆開き用スライダーを停止させることができるスライドファスナーの逆開き開離嵌挿具を提供することが目的である。
【課題を解決するための手段】
【００１１】
前記の目的を達成するため、この発明のうち請求項１記載の発明は、逆開き開離嵌挿具が、左右一対のファスナーストリンガー６，６における一方のファスナーストリンガー６のファスナーエレメント７の長さ方向の一端に取り付けられた箱棒３と、他方のファスナーストリンガー６のファスナーエレメント７の長さ方向の一端に取り付けられた蝶棒４と、箱棒３と蝶棒４とが内部に挿入できる逆開き用スライダー１とから構成され、蝶棒４または箱棒３に逆開き用スライダー１に設置した停止爪３５と対面したとき、この停止爪３５と当接することができる当接部１３を設け、当接部１３と停止爪３５とが当接したときに、逆開き用スライダー１がファスナーチエン５の内方側への移動することを阻止したスライドファスナーの逆開き開離嵌挿具を主な構成とするものである。
【００１２】
請求項２記載の発明は、請求項１記載の発明の構成に加え、蝶棒４は、箱棒３と対向する側面から突出する当接部１３を設け、当接部１３の基部から蝶棒４の先端にかけて、逆開き用スライダー１の停止爪３５が入り込むことができる切欠部１６を形成したスライドファスナーの逆開き開離嵌挿具である。
【００１３】
請求項３記載の発明は、請求項１記載の発明の構成に加え、箱棒３は、蝶棒４と対向する側面に、逆開き用スライダー１の停止爪３５が入り込むことができる切欠部１６を形成し、切欠部１６を構成する周壁に当接部１３を設けたスライドファスナーの逆開き開離嵌挿具である。
【００１４】
請求項４記載の発明は、請求項１記載の発明の構成に加え、箱棒３は、蝶棒４と対向する側面から突出する挿入片２２，２３を有し、蝶棒４は、箱棒３と対向する側面に箱棒の挿入片２２，２３を収容することができる収容部１８，１９と、箱棒３へ向けて突出する当接部１３とを有し、当接部１３と挿入片２２，２３とが箱棒３と蝶棒４の表裏方向にずれた位置に配置されたスライドファスナーの逆開き開離嵌挿具である。
【００１５】
請求項５記載の発明は、請求項１記載の発明の構成に加え、蝶棒４は、箱棒３と対向する側面から突出する当接部１３を設け、当接部１３は蝶棒４の基端側すなわちファスナーエレメント７に隣接する側から先端側に向けて漸次幅広に突出する形に形成されたスライドファスナーの逆開き開離嵌挿具。
【発明の効果】
【００１６】
この出願の発明の効果として、請求項１記載の発明は、左右一対のファスナーストリンガーにおける一方のファスナーストリンガーのファスナーエレメントの長さ方向の一端に取り付けられた箱棒と、他方のファスナーストリンガーのファスナーエレメントの長さ方向の一端に取り付けられた蝶棒と、箱棒と蝶棒とが内部に挿入可能な逆開き用スライダーとから構成された逆開き開離嵌挿具において、蝶棒または箱棒に逆開き用スライダーに設置した停止爪と対面し、当接することが可能な当接部を設け、当接部と停止爪とが当接したときに、逆開き用スライダーがファスナーチエンの内方側への移動することを阻止したことによって、逆開き用スライダーがファスナーチエンの内方側へ向けて勝手に移動しようとしても、当接部と停止爪とが当接することで移動が停止され、逆開き用スライダーが人為的操作なしでファスナーエレメントを左右に分離させてしまうことを防止できる効果がある。
【００１７】
請求項２記載の発明は、請求項１記載の発明の効果に加え、蝶棒は、箱棒と対向する側面から突出する当接部を設け、当接部の基部から蝶棒の先端にかけて、逆開き用スライダーの停止爪が入り込むことが可能な切欠部を形成したことによって、逆開き用スライダーの停止爪を蝶棒の当接部に対して確実に当接させ、そのうえ蝶棒を逆開き用スライダー内へ蝶棒を挿入する際に、蝶棒の先端と停止爪との衝突を回避できる効果がある。
【００１８】
請求項３記載の発明は、請求項１記載の発明の効果に加え、箱棒は、蝶棒と対向する側面に、逆開き用スライダーの停止爪が入り込むことが可能な切欠部を形成し、切欠部を構成する周壁に当接部を設けたことによって、逆開き用スライダーの停止爪を箱棒の当接部に対して確実に当接させることができる効果がある。
【００１９】
請求項４記載の発明は、請求項１記載の発明の効果に加え、箱棒は、蝶棒と対向する側面から突出する挿入片を有し、蝶棒は、箱棒と対向する側面に箱棒の挿入片を収容可能な収容部と、箱棒へ向けて突出する当接部とを有し、当接部と挿入片とが箱棒と蝶棒の表裏方向にずれた位置に配置したことによって、蝶棒が逆開き用スライダー内へ挿入される際に、蝶棒の当接部と箱棒の挿入片とが衝突し合うことなく、蝶棒を逆開き用スライダー内へ円滑に挿入できる効果がある。
【００２０】
請求項５記載の発明は、請求項１記載の発明の効果に加え、蝶棒は、箱棒と対向する側面から突出する当接部を設け、当接部は蝶棒の基端側から先端側に向けて漸次幅広に突出する形に形成したことによって、当接部における停止爪と接触する部分の面積を広くなり、当接部と停止爪とが広い面積で接触し、逆開き用スライダーの移動を確実に停止させる効果があるなど、この発明が奏する効果はきわめて顕著である。
【発明を実施するための最良の形態】
【００２１】
この発明におけるスライドファスナーの逆開き開離嵌挿具は、図１に示すように、ファスナーチエン５の長さ方向の一端部に取り付けられた箱棒３と蝶棒４と、箱棒３と蝶棒４とを内部に挿入可能な逆開き用スライダー１とから構成される。ファスナーチエン５は、左右一対のファスナーストリンガー６，６を有し、各ファスナーストリンガー６，６は、ファスナーテープ８と、ファスナーテープ８の一側縁に沿って取り付けられたファスナーエレメント７と、一方のファスナーストリンガー６のファスナーエレメント７の上端に隣接して取り付けられた箱棒３と、他方のファスナーストリンガー６のファスナーエレメント７の上端に隣接して取り付けられた蝶棒４と、各ファスナーストリンガー６，６のファスナーエレメント７，７の下端に隣接して取り付けられた止め具１４，１４と、ファスナーエレメント７，７に沿って摺動し、ファスナーエレメント７，７を噛合または分離可能な二つのスライダー１，２とを有している。
【００２２】
箱棒３と蝶棒４の取り付けは、まず、ファスナーテープ８からファスナーエレメント７を除去したスペース部１１を形成し、このスペース部１１に樹脂製フィルムを貼り付けて補強部１０を形成した後、この補強部１０に樹脂製の箱棒３と蝶棒４とを射出成形して固定する。
【００２３】
二つのスライダー１，２は、前後に反対方向を向いて配置されており、各スライダー１，２とも内部にファスナーエレメント７が挿通され、このファスナーエレメント７と係合可能な停止爪３５，３５’を有している。一方のスライダーは、箱棒３と蝶棒４とで逆開き開離嵌挿具を構成する逆開き用スライダー１である。逆開き用スライダー１は、ファスナーチエン５の上端部側から内方側へ向けて移動した時、すなわち、スライダー１が箱棒３と蝶棒４とに接触した状態から離れる方向へ移動した時に、噛合状態のファスナーエレメント７を左右に分離することができる。また、他方のスライダーは、止め具１４と当接可能な開き用スライダー２である。開き用スライダー２は、ファスナーチエン５の内方側から下端部側へ向けて移動した時、すなわち、スライダー２が止め具１４へ接近する方向へ移動した時に、分離状態のファスナーエレメント７を噛合することができる。
【００２４】
箱棒３は、図４，５に示すように、ファスナーテープ８の内側すなわち左右のファスナーテープ８が対向する側に配置された内側面と、この内側面とは反対側で、ファスナーテープ８の外側に配置された外側面とを有し、箱棒３の先端は、Ｌ字状に側方へ突出し、詳述すると内側面からファスナーテープ８の内方側、すなわち、ファスナーエレメント７を取り付けた側の縁部とは反対側の縁部へ向けて突出し、逆開き用スライダー１の上翼板２８に設けたフランジ３１に当接して、逆開き用スライダー１の移動を停止させ、スライダー１が箱棒３から抜け取れることを防ぐ鉤止部２１を設けている。
【００２５】
また、箱棒３の外側面にはファスナーテープ８の外方側、すなわち蝶棒４側へ向けて突出する挿入片２２，２３が形成され、この挿入片２２，２３は蝶棒に形成した収容部１８，１９に挿入して収容されることができる。箱棒３の基端、すなわちファスナーエレメント７と隣接する側の端部には、箱棒３の裏面寄りの外側面から外方へ向けて突出し、蝶棒４に設置した第１収容部１９に挿入することができる第１挿入片２２を設けている。さらに、箱棒３には、第１挿入片２２よりも箱棒３の先端寄りで、かつ第１挿入片２２よりも箱棒３の表面寄りの位置に、箱棒３の外側面から外方へ向けて突出し、蝶棒４に設置した第２収容部１８に挿入することができる第２挿入片２３を設けている。
【００２６】
蝶棒４は、図２，３に示すように、ファスナーテープ８の内側すなわち左右のファスナーテープ８が対向する側に配置された内側面と、この内側面とは反対側で、ファスナーテープ８の外側に配置された外側面とを有し、その先端がファスナーテープ８の内方側へ向けてやや反り返る形に形成して、逆開き用スライダー１と開き用スライダー２とに挿入し易いようにしている。また、蝶棒４は、その外側面すなわち箱棒３の外側面と対向する面の先端寄りに、箱棒４側へ向けて突出し、逆開き用スライダー１に設けた停止爪３５の前後方向の端面に当接可能な当接部１３を有している。さらに、蝶棒４は、当接部１３の基部から蝶棒４の先端にかけて、蝶棒４の表面と外側面との境界部分を段差状に切り欠き、蝶棒４が逆開き用スライダー１に挿入された時に、蝶棒４と停止爪３５とが接触し合わないようにするための切欠部１６を有している。
【００２７】
当接部１３は、蝶棒４の長さ方向の中間位置に配置されており、蝶棒４の表裏方向の厚みよりも薄く、蝶棒４の表面と連続する表面と、蝶棒４の外側面と連結する側端面と、この側端面と交差する方向に延びる先端面とを有した板状体であり、蝶棒４の基端側すなわちファスナーエレメント７に隣接する側から先端側に向けて漸次幅寸法、すなわち突出量を増加させた略三角形状を呈している。これにより、当接部１３は、その先端が基端よりも幅広く形成されることとなり、先端面が停止爪３５と当接した時に、停止爪３５との接触面積を広く確保することができる。
【００２８】
蝶棒４の外側面には、ファスナーテープ８の外方側、すなわち箱棒３に向けて突出する支持部１５，１７を有している。また、支持部１５，１７の表面側または裏面側に箱棒３の挿入片２２，２３を収容可能な収容部１８，１９を有している。蝶棒４の基端、すなわちファスナーエレメント７と隣接する側の端部には、蝶棒４の外側面から外方へ向けて突出する第１支持部１５を設け、この第１支持部１５の裏面側に凹状の第１収容部１９を設けて、箱棒３の第１挿入片２２が挿入される。また、この第１支持部１５よりも蝶棒４の先端寄りに、蝶棒４の外側面から外方へ向けて突出する第２支持部１７を設け、この第２支持部１７の表側に凹状の第２収容部１８を設けて、箱棒３の第２挿入片２３が挿入される。これにより、第１挿入片２２と第１支持部１５とが箱棒３と蝶棒４の表裏方向で重なり合い、また第２挿入片２３と第２支持部１７とが表裏方向で重なり合い、箱棒３と蝶棒４とに表裏方向の突き上げ力が加わっても、箱棒３と蝶棒４の位置が表裏方向に変位することがなく位置決めされる。
【００２９】
このスライドファスナーの逆開き開離嵌挿具は、図６に示すように、箱棒３が挿通された逆開き用スライダー１と開き用スライダー２とに対し、蝶棒４を開き用スライダー２から挿入し、次いで逆開き用スライダー１に差し込む。この差し込み操作は、図９に示すように、箱棒３の第２挿入片２３が蝶棒４の第２収容部１８に挿入して収容され、第２挿入片２３と蝶棒４の第１支持部１５とが当接し、第２挿入片２２が第１収容部１９に挿入して収容されて完了する。次に、開き用スライダー２をファスナーチエン５の内方側へ向けて、ファスナーエレメント７に沿って摺動させることにより、図１０に示すように、左右のファスナーストリンガー６，６のファスナーエレメント７，７が噛合し、ファスナーチエン５が閉鎖された状態となる。
【００３０】
ファスナーチエン５を図１０に示した閉鎖状態としたとき、逆開き用スライダー１が人為的な操作無しにファスナーチエン５の内方側へ向けて移動しようとしても、図１１に示すように、逆開き用スライダー１の停止爪３５が蝶棒４の当接部１３に当接して、逆開き用スライダー１がファスナーチエン５の内方側へ移動することはできない。よって、左右のファスナーストリンガー６，６のファスナーエレメント７，７が逆開き用スライダー１により分離されることがない。
【００３１】
閉鎖されたファスナーチエン５を開放状態にするには、まず、開き用スライダー２を逆開き用スライダー１へ向けて移動して、左右のファスナーストリンガー６，６のファスナーエレメント７，７を分離させ、次いで、図６に示すように、蝶棒４を逆開き用スライダー１および開き用スライダー２から抜き取ればよい。
【実施例１】
【００３２】
図１〜１２に示した実施例１のスライドファスナーの逆開き開離嵌挿具は、蝶棒４に逆開き用スライダー１がファスナーチエン５の内方側へ移動することを規制する機構を備えているところに特徴がある。ファスナーチエン５は、ポリアミド、ポリエステルなどの合成樹脂製モノフィラメントをコイル状に捲回し、またはジグザグ状に屈曲して、ファスナーテープ８の長さ方向に連続する線条ファスナーエレメント７を形成し、このファスナーエレメント７の内部に芯紐１２を挿通し、縫糸９によってファスナーテープ８の長さ方向の一側縁部に沿って縫着する。あるいはポリアセタール、ポリアミド、ポリプロピレン、ポリブチレンテレフタレートなどの熱可塑性樹脂を用いて、ファスナーテープ８の長さ方向の一側縁部に沿って形成した膨大部に、ファスナーテープ８の長さ方向に所定の間隔を空けて、射出成形手段によって単体のファスナーエレメントを成形してファスナーチエン５を形成する。
【００３３】
ファスナーチエン５における左右一対のファスナーストリンガー６，６に一定間隔でファスナーエレメント７をファスナーテープ８から除去してスペース部１１を形成する。スペース部１１はファスナーストリンガー６の長さ方向の両端に形成され、その一端側に位置するスペース部１１に樹脂製フィルム、例えば表面に熱可塑性エラストマーフィルム、裏面にホットメルト型接着剤から形成した補強テープを超音波溶着して補強部１０を形成する。左右一方のファスナーストリンガー６，６における補強部１０に箱棒３を取り付け、他方のファスナーストリンガー６における補強部１０に蝶棒４を取り付ける。箱棒３と蝶棒４とはポリアセタール、ポリアミド、ポリプロピレン、ポリブチレンテレフタレートなどの熱可塑性樹脂を用いて射出成形手段によって成形され、ファスナーエレメント７の長さ方向の一端に隣接して固定する。また、各ファスナーストリンガー６，６の他端のスペース部１１には止め具１４が取り付けられる。止め具１４は、箱棒３、蝶棒４と同じ熱可塑性樹脂を用いて射出成形手段によって成形され、ファスナーエレメント７，７の長さ方向の他端に隣接して固定されている。
【００３４】
箱棒３、蝶棒４、止め具１４を成形したファスナーチエン５には、図１に示すように、ファスナーエレメント７に対する摺動方向の前端側が箱棒３および蝶棒４側に向くように配置された逆開き用スライダー１と、この逆開き用スライダー１とは反対方向、すなわち摺動方向の前端側が止め具１４側に向く開き用スライダー２とをファスナーエレメント７に挿通している。各スライダー１、２はアルミニウム合金、亜鉛合金などの金属を用いてダイカスト成形手段によって成形される。逆開き用スライダー１と開き用スライダー２は、箱棒３を取り付けた側のファスナーストリンガー６に対し脱落不能に装着されていおり、ファスナーエレメント７の一端に取り付けた箱棒３と、他端に取り付けた止め具１４とで、両スライダー１，２がファスナーエレメント７から抜け取れることを阻止している。
【００３５】
なお、逆開き用スライダー１と開き用スライダー２とは同一形態、例えば図１５に示すように、上下に間隔を空けて平行に配置された上翼板２８と下翼板２９と、各翼板２８、２９の一端を連結した案内柱３３と、上翼板２８と下翼板２９の少なくとも一方の左右両側縁から他方へ向けて突出するフランジ３１とを有したスライダー胴体３０と、上翼板２８の上面に配置され、上翼板２８と下翼板２９との間に形成されたエレメント案内通路３２に対し、上翼板２８に形成された爪孔３４から出没可能な停止爪３５と、停止爪３５の上面に接し、停止爪３５をエレメント案内通路３２内へ突出する方向へ弾性的に付勢する板バネ３７と、上翼板２８の上面から起立する取付柱３６に固定され、停止爪３５と板バネ３７とを内部に収納するカバー３８と、スライダー胴体３０と停止爪３５との間に配された軸部４１を有し、軸部４１を上動させることで停止爪３５を持ち上げて、停止爪３５をエレメント案内通路３２から抜脱させることが可能な引手４０とから構成されている。各スライダー１、２は、ファスナーチエン５に対して、スライダー１，２の前後の向きが逆方向になるように配され、ファスナーチエン５の端部から内方へ向けて移動したときにファスナーエレメント７を分離できるように形成する。
【００３６】
逆開き開離嵌挿具としての箱棒３、蝶棒４について説明する。箱棒３は、図４，５に示すように、正面から見て先端が側方へ突出し全体が略Ｌ字形状の棒状体で、ファスナーストリンガー６の長さ方向の一端において、ファスナーエレメント７の長さ方向の一端に隣接する形で、ファスナーテープ８の一側縁に沿って固定されている。ファスナーテープ８における箱棒３が固定されるテープ部分には、補強テープを貼り付けた補強部１０が形成されている。補強部１０は、逆開き開離嵌挿具を操作する際に、箱棒の近傍のテープ部分を指で摘んで操作し易くするため、テープ部分が妄りに変形しないように補強している。
【００３７】
箱棒３は、表面と、裏面と、箱棒３の表裏方向に直交する左右方向に、ファスナーテープ８の内方側に位置する内側面と、ファスナーテープ８の外方側に位置する外側面とを有している。箱棒３の先端には、内側面からファスナーテープ８の内方側、すなわち外側面がある側とは反対側へ向けて突出する鉤止部２１を設けてＬ字状を呈するように形成し、この鉤止部２１を含んだ箱棒３の先端の左右方向の幅寸法は、箱棒３の基端の幅寸法に比べて幅広く形成されている。これにより、箱棒３の先端が逆開き用スライダー１のエレメント案内通路３２内に入り込もうとしたとき、図６に示すように、鉤止部２１が逆開き用スライダー１の上翼板２８に形成したフランジ３１の先端に当接し、箱棒３の外側面が逆開き用スライダー１の案内柱３３の側面に当接して、箱棒３の先端がエレメント案内通路３２内を通過することができず、逆開き用スライダー１が箱棒３から抜け取れるのを防ぐことができる。
【００３８】
箱棒３の基端は、箱棒３の先端に対して箱棒３の長さ方向の反対側に位置し、ファスナーエレメント７の長さ方向一端に隣接している。箱棒３の基端には、箱棒３の外側面からファスナーテープ８の外方側、すなわち内側面がある側とは反対側へ向けて突出する第１挿入片２２が形成されている。この第１挿入片２２は、箱棒３の表裏方向の厚みよりも薄い板状体で、箱棒３の裏面と連続する裏面を有し、蝶棒４に設けた凹状の第１収容部１９に挿入できる。また、第１挿入片２２よりも箱棒３の先端寄りに、箱棒３の外側面からファスナーテープ８の外方側へ向けて突出する第２挿入片２３を形成している。この第２挿入片２３は、箱棒３の表裏方向の厚みよりも薄い板状体で、箱棒３の表裏方向の中央位置に配置され、蝶棒４に設けた凹状の第２収容部１８に挿入できる。各挿入片２２，２３が各収容部１９，１８に挿入されることにより、箱棒３と蝶棒４とが逆開き用スライダー１内に差し込まれた際に、箱棒３と蝶棒４の位置がずれないように安定して保持することができる。
【００３９】
蝶棒４は、図２，３に示すように、ファスナーストリンガー６の長さ方向の一端において、ファスナーエレメント７の長さ方向の一端に隣接する形で、ファスナーテープ８の一側縁に沿って固定されている。蝶棒４は、その先端がファスナーテープ８の内方側、すなわちファスナーテープ８におけるファスナーエレメント７を取り付けた縁部とは反対側の縁部側に向けて弧状に湾曲しており、正面から見てやや反り返った形状に形成されている。ファスナーテープ８における蝶棒４が固定されるテープ部分には、箱棒３の場合と同様に、補強テープを貼り付けた補強部１０が形成されており、蝶棒の近傍のテープ部分が妄りに変形しないように補強している。
【００４０】
蝶棒４は、表面と、裏面と、蝶棒４の表裏方向に直交する左右方向に、ファスナーテープ８の内方側に位置する内側面と、ファスナーテープ８の外方側に位置する外側面とを有している。蝶棒４の外側面すなわち箱棒３と対向する面には、蝶棒４の長さ方向の中央位置から先端寄りにかけて、ファスナーテープ８の外方側へ向けて突出する当接部１３を形成している。この当接部１３は、蝶棒４の表裏方向の厚みよりも薄い板状体で、正面から見て略三角形状を呈しており、蝶棒４の長さ方向、すなわち蝶棒４の基端側から先端側に向けて延びる側端面と、この側端面と交差し、蝶棒４の長さ方向と直交する左右方向に向けて延びる先端面とを有している。この当接部１３の先端面が、図１５に示すように、逆開き用スライダー１の上翼板２８からエレメント案内通路３２内へ突出する停止爪３５において、スライダー１の前後方向における後方側の端面と当接し、逆開き用スライダー１の移動を停止させることができる。
【００４１】
また、当接部１３は蝶棒４の表裏方向において表面側に寄った位置に配置されている。この当接部１３と、箱棒３の第１挿入片２２と第２挿入片２３とは、箱棒３と蝶棒４の表裏方向において突出位置が表裏にずれていて、当接部１３が表面側に位置し、第１挿入片２２が裏面側に位置し、第２挿入片２３が当接部１３と第１挿入片２２の間に位置している。これにより、蝶棒４が逆開き用スライダー１内に差し込まれ、蝶棒４と箱棒３とが接近したときに、箱棒３の第１挿入片２２および第２挿入片２３と接触し合わないようにしている。
【００４２】
また、蝶棒４には、当接部１３の基部すなわち当接部１３の先端面と蝶棒４の外側面とが交差した隅角部分から蝶棒４の先端にかけて、蝶棒４の表面と外側面とが交差する部分を段差状に切り欠いた切欠部１６が形成されている。停止爪３５はエレメント案内通路３２内に突出しており、この突出位置がエレメント案内通路３２内に挿入される蝶棒４の挿入経路に位置している。このことから、切欠部１６は、蝶棒４がエレメント案内通路３２内に挿入するときに、その挿入途中において停止爪３５が入り込み、蝶棒４と停止爪３５との接触を回避するための空間を形成している。
【００４３】
蝶棒４の基端は、蝶棒４の先端に対して蝶棒４の長さ方向の反対側に位置し、ファスナーエレメント７の長さ方向の一端部に隣接している。蝶棒４の基端には、蝶棒４の外側面からファスナーテープ８の外方側、すなわち内側面がある側とは反対側へ向けて突出する第１支持部１５が形成されている。この第１支持部１５は、蝶棒４の表裏方向の厚みよりも薄い板状体で、蝶棒４の表面と連続する表面を有している。第１支持部１５の裏面には、ファスナーテープ８の外方側、すなわち箱棒３の外側面へ向けて開口する凹状の第１収容部１９が形成されており、箱棒３の第１挿入片２２が蝶棒４の第１収容部１９に挿入されたときに、第１支持部１５と第１挿入片２２とが箱棒３および蝶棒４の表裏方向に重なり合うことができる。また、第１支持部１５の先端には、蝶棒４に隣接するファスナーエレメント７側へ向けて突出する係合突起２０を形成している。この係合突起２０は、左右のファスナーストリンガー６，６のファスナーエレメント７，７が噛合したときに、箱棒３を取り付けた側のファスナーストリンガー６のファスナーエレメント７と係合することができる。
【００４４】
また、蝶棒４には、第１支持部１５よりも蝶棒４の先端側に、蝶棒４の外側面からファスナーテープ８の外方側へ向けて突出する第２支持部１７が形成されている。この第２支持部１７は、蝶棒４の表裏方向の厚みよりも薄い板状体で、蝶棒４の表裏方向における裏面寄りの位置に配置されている。第２支持部１７の上面には、ファスナーテープ８の外方側、すなわち箱棒３の外側面へ向けて開口する凹状の第２収容部１８が形成されており、箱棒３の第２挿入片２３が蝶棒４の第２収容部１８に挿入されたときに、第２支持部１７と第２挿入片２３とが箱棒３および蝶棒４の表裏方向に重なり合うことができる。また第２支持部１７は、その先端から蝶棒４の外側面に向けて延び、蝶棒４の先端側へ向けて下り傾斜する傾斜面を有している。これにより、蝶棒４を開き用スライダー２へ差し込む際、第２支持部１７が開き用スライダー２の案内柱３３と当接しても、第２支持部１７の傾斜面が案内柱３３の側面を滑りながら移動し、蝶棒４を開き用スライダー２内へ円滑に差し込むことができる。
【００４５】
このスライドファスナーの逆開き開離嵌挿具の作用を説明すると、図６に示すように、箱棒３に挿通された逆開き用スライダー１と開き用スライダー２とに対し、蝶棒４を開き用スライダー２の前端側から、同スライダー２のエレメント案内通路３２に挿入し、次に逆開き用スライダー１の後端側から、同スライダー１のエレメント案内通路３２に挿入する。逆開き用スライダー１のエレメント案内通路３２に挿入された蝶棒４は、図７，８に示すように、蝶棒４の先端に形成した切欠部１６にスライダー１の停止爪３５の先端を入り込ませながら逆開き用スライダー１の前端側ヘ向けて移動する。この後、図９に示すように、箱棒３の第２挿入片２３と蝶棒４の第１支持部１５とが当接し、蝶棒４の差し込み操作は完了する。なお、このとき、開き用スライダー２に設けた停止爪３５’が、箱棒３と、箱棒３に隣接するファスナーエレメント７との間にて、エレメント案内通路３２内へ突出している。これにより、開き用スライダー２が逆開き用スライダー１から離れる方向へ移動しようとしても、停止爪３５’がファスナーエレメント７と当接して、移動が停止される。
【００４６】
次いで、開き用スライダー２の引手４０を操作することで、同スライダー２の停止爪３５’がエレメント案内通路３２から抜脱するように持ち上げられ、この開き用スライダー２をファスナーチエン５の内方側、すなわち箱棒３、蝶棒４、逆開き用スライダー１からなる逆開き開離嵌挿具から離れる方向へ向けて移動させる。開き用スライダー２はファスナーエレメント７，７に沿って摺動し、図１０に示すように、左右のファスナーストリンガー６，６の各ファスナーエレメント７，７を噛合させ、ファスナーチエン５を閉鎖させる。
【００４７】
このとき、蝶棒４の第１支持部１５が箱棒３の第１挿入片２２の表面側に位置し、また箱棒３の第２挿入片２３が蝶棒４の第２支持部１７の表面側に位置して、箱棒３の２つの挿入片と蝶棒４の２つの支持部とが表裏の位置関係を変えて重なり合っているので、箱棒３と蝶棒４とに表裏いずれの方向から突き上げ力が加わっても、箱棒３と蝶棒４の姿勢が変位することない。よって、突き上げ力により箱棒３と蝶棒４との間に大きな隙間が生じ、箱棒３と蝶棒４とに隣接するファスナーエレメント７に対して噛合状態の分離が誘発されることがない。
【００４８】
また、蝶棒４の第１支持部１５に形成した係合突起２０は、箱棒３に隣接するファスナーエレメント７と係合し、箱棒３または蝶棒４とファスナーエレメント７との間の部分に表裏方向の突き上げ力が加わっても、この部分の姿勢が変位することがない。よって、突き上げ力により箱棒３または蝶棒４とファスナーエレメント７との間の部分に大きな隙間が生じ、この部分からファスナーエレメント７に対して噛合状態の分離が誘発されることがない。
【００４９】
開き用スライダー２によってファスナーチエン５が閉鎖された後、図１１に示すように、逆開き用スライダー１が仮想線で示した位置、すなわち逆開き用スライダー１のフランジ３１の先端が箱棒３の鉤止部２１と当接した状態から、人為的な操作を行うことなくファスナーチエン５の内方側へ移動、すなわちフランジ３１の先端が箱棒３の鉤止部２１から離間した場合、蝶棒４の当接部１３が逆開き用スライダー１の停止爪３５に当接するので、逆開き用スライダー１の移動を停止させることができる。
【００５０】
閉鎖されたファスナーチエン５を左右のファスナーストリンガー６，６に分離させるには、開き用スライダー２をファスナーエレメント７に沿って開離嵌挿具に向けて摺動させ、左右のファスナーストリンガー６，６のファスナーエレメント７，７を分離させる。次いで、開き用スライダー２を箱棒３と蝶棒４とに挿通させ、逆開き用スライダー１に接する位置まで移動させる。次に、図６に示すように、蝶棒４を逆開き用スライダー１と開き用スライダー２の各エレメント案内通路３２，３２から抜き取れば、蝶棒４側のファスナーストリンガー６と箱棒３側のファスナーストリンガー６とにそれぞれ分離させることができる。
【実施例２】
【００５１】
図１３，１４に示した実施例２のスライドファスナーの逆開き開離嵌挿具は、箱棒３に逆開き用スライダー１がファスナーチエン５の内方側へ移動することを規制する機構を備えているところに特徴がある。ファスナーチエン５の形態は前記実施例１と同一であり、ファスナーチエン５は、左右一対のファスナーストリンガー６，６におけるファスナーテープ８，８の長さ方向の一側縁に、内部に芯紐１２を挿通したコイル状のファスナーエレメント７を縫糸９によって縫着している。各ファスナーストリンガー６，６の長さ方向の一端に配置したスペース部１１に樹脂フィルムを貼り付けて補強部１０を形成し、一方のファスナーストリンガー６の補強部１０に熱可塑性樹脂製の箱棒３を成形し、他方のファスナーストリンガー６の補強部１０に熱可塑性樹脂製の蝶棒４を成形する。
【００５２】
箱棒３は、当接部１３および切欠部１６を設ける以外の構成は、実施例１の箱棒３の構成と同一であり、図１３に示すように、先端が側方へ突出し全体が略Ｌ字形状を呈し、箱棒３の先端の内側面からファスナーテープ８の内方側へ向けて突出する鉤止部２１と、ファスナーエレメント７に隣接する基端の外側面からファスナーテープ８の外方側へ向けて突出する第１挿入片２２と、この第１挿入片２２よりも箱棒３の先端側に配置され、箱棒３の外側面から突出する第２挿入片２３とを有している。鉤止部２１は逆開き用スライダー１が箱棒３から脱落することを阻止し、第１挿入片２２と第２挿入片２３とは、蝶棒４に配した第１収容部１９と第２収容部１８とにそれぞれ挿入される。
【００５３】
鉤止部２１よりも箱棒３の基端側の位置には、箱棒３の表面と外側面とが交差する境界部分を段差状に切り欠いて切欠部１６が形成されおり、逆開き用スライダー１のエレメント案内通路３２内に箱棒３が挿入されている際、逆開き用スライダー１の停止爪３５が切欠部１６に入り込んで、箱棒３と停止爪３５とが接触し合わないようにしている。また、切欠部１６は、その周壁が停止爪３５と当接できるように当接部１３として構成されている。切欠部１６は、箱棒３を正面側から見たときに略三角形状を呈しており、切欠部１６の周壁が箱棒３の左右方向に延びる横壁面と、箱棒３の長さ方向に延びる縦壁面とを有している。この横壁面と縦壁面とが、箱棒３の内方、すなわち箱棒３の外側面から内側面寄りに離れた位置にて交差して隅角部２４を形成している。切欠部１６の横壁面が逆開き用スライダー１の前後方向に向く面であり、停止爪３５の前後方向の端面と当接する。
【００５４】
蝶棒４は、切欠部１６と当接部１３とが形成されず、それ以外の構成は実施例１の蝶棒４の構成と同一であり、図１４に示すように、先端がファスナーテープ８の内方側へ弧状に湾曲して、全体が反り返った形状を呈し、ファスナーエレメント７に隣接する基端の外側面からファスナーテープ８の外方側へ向けて突出する第１支持部１５と、この第１支持部１５よりも蝶棒４の先端側に配置され、蝶棒４の外側面から突出する第２支持部１７とを有している。また、第１支持部１５の裏面側に凹状の第１収容部１９を設け、第２支持部１７の表面側に凹状の第２収容部１８を設けている。さらに、第１支持部１５の先端に、箱棒３側のファスナーエレメント７と係合する係合突起２０を設けている。
【００５５】
従って、箱棒３と蝶棒４とを逆開き用スライダー１のエレメント案内通路３２内に挿入した状態においては、箱棒３の第１挿入片２２が蝶棒４に設けた第１収容部１９に収容され、箱棒３の第２挿入片２３が蝶棒４の第２収容部１８に収容されている。また、第１挿入片２２と第１支持部１５と箱棒３および蝶棒４の表裏方向に重なり合い、第２挿入片２３と第２支持部１７とが表裏方向に重なり合っている。なお、箱棒３に当接部１３を設ける場合、蝶棒４は逆開き用スライダー１の案内柱３３を挟んで左側のエレメント案内通路３２に挿入する左差しタイプとなる。一方、実施例１の場合は、蝶棒４が案内柱３３を挟んで右側のエレメント案内通路３２に挿入される右差しタイプとなる。
【産業上の利用可能性】
【００５６】
この発明のスライドファスナーの逆開き開離嵌挿具は、衣服や鞄の開閉部分、カーペットや人工芝の連結部分などに取り付けられるファスナーチエンに装着され、逆開き用スライダーが人為的な操作なしに勝手に移動することを防止するためのものである。
【図面の簡単な説明】
【００５７】
【図１】実施例１に基づく逆開き開離嵌挿具の正面図である。
【図２】同上の蝶棒の斜視図である。
【図３】同上の蝶棒の正面図である。
【図４】同上の箱棒の斜視図である。
【図５】同上の箱棒の正面図である。
【図６】同上の開き用スライダーに対し、蝶棒の差し込み開始時の断面図である。
【図７】同上の蝶棒が停止爪に接近した状態を示す要部断面図である。
【図８】同上の蝶棒が停止爪との接触を回避しながら移動する状態を示す要部断面図である。
【図９】同上の逆開き用スライダーおよび開き用スライダーに対し、蝶棒の差し込み完了時の断面図である。
【図１０】同上の開き用スライダーを摺動させた状態を示す断面図である。
【図１１】同上の逆開き用スライダーが移動したとき、停止爪と当接部が当接した状態を示す要部断面図である。
【図１２】同上の蝶棒の裏側を示す部分断面図である。
【図１３】実施例２に基づく箱棒の斜視図である。
【図１４】同上の逆開き用スライダーに対し、蝶棒の差し込みを完了し、箱棒と停止爪が係止した状態を示す要部断面図である。
【図１５】逆開き用スライダーおよび開き用スライダーに用いるスライダーの断面図である。
【図１６】公知の逆開き開離嵌挿具の断面図である。
【符号の説明】
【００５８】
１      逆開き用スライダー
３      箱棒
４      蝶棒
５      ファスナーチエン
６      ファスナーストリンガー
７      ファスナーエレメント
１３    当接部
１６    切欠部
１８    収容部（第２収容部）
１９    収容部（第１収容部）
２２    挿入片（第１挿入片）
２３    挿入片（第２挿入片）
３５    停止爪
【図１】
2008099975.tif 000003
【図２】
2008099975.tif 000004
【図３】
2008099975.tif 000005
【図４】
2008099975.tif 000006
【図５】
2008099975.tif 000007
【図６】
2008099975.tif 000008
【図７】
2008099975.tif 000009
【図８】
2008099975.tif 000010
【図９】
2008099975.tif 000011
【図１０】
2008099975.tif 000012
【図１１】
2008099975.tif 000013
【図１２】
2008099975.tif 000014
【図１３】
2008099975.tif 000015
【図１４】
2008099975.tif 000016
【図１５】
2008099975.tif 000017
【図１６】
2008099975.tif 000018